(57)【特許請求の範囲】
【請求項１】
水溶性バインダーが添加された原紙シートに対して薬液を含浸させた水解性シートであって、
前記原紙シートは、
複数枚の原紙が積層されたものであり、かつ目付が３０〜１５０ｇｓｍであり、
広葉樹パルプに対する針葉樹パルプの配合比を１／１未満とし、
当該原紙シートの厚み方向内側から表面及び裏面に向かうにつれて前記水溶性バインダーの含有量を徐々に増加させた状態とし、
前記薬液には、前記水溶性バインダーに架橋反応を起こさせる架橋剤、及び除菌剤を含み、
前記原紙シートの重量に対して１５０〜３００重量％の前記薬液を含浸させていることを特徴とする水解性シート。
【請求項２】
前記除菌剤には、塩化ベンザルコニウム、グルコン酸クロルヘキシジン、ポピドンヨード、エタノール、セチル酸化ベンザニウム、トリクロサン、クロルキシレノール、イソプロピルメチルフェノールのうち少なくとも何れか一の薬品を含むことを特徴とする請求項１に記載の水解性シート。
【請求項３】
凸部を全面に形成したことを特徴とする請求項１又は２に記載の水解性シート。
【請求項４】
前記凸部は、
第１の凸部と、
前記第１の凸部の周囲に配置され前記第１の凸部と膨出部の形状が異なる第２の凸部と、を有することを特徴とする請求項３に記載の水解性シート。
【請求項５】
前記第１の凸部が菱形格子に配列されたことを特徴とする請求項４に記載の水解性シート。
【請求項６】
前記第２の凸部が２つの前記第１の凸部の間に配列されたことを特徴とする請求項４又は５に記載の水解性シート。
【請求項７】
前記第１の凸部と前記第２の凸部が接して連なった凸部となっていることを特徴とする請求項４から６のいずれか一項に記載の水解性シート。
【発明の詳細な説明】
【技術分野】
【０００１】
本発明は、水解性シートに関する。
【背景技術】
【０００２】
従来、トイレの清掃には、繰り返し使用される織布製の雑巾等が使われてきたが、これに替わって、近年、紙製の使い捨てのウェットシートが使用されるようになってきている。そして、この種のウェットシートは、洗浄剤が含浸された状態で提供され、また使用後にトイレに流して処理可能とされるものが好まれる。
かかるウェットシートにおいては、拭取り作業時の洗浄剤が含浸された湿潤状態において破れない紙力と、トイレ等に流した際に配管等に詰まらない程度の水解性を確保することが求められるところであるが、これらを効果的に達成する一つの技術として、その基材紙としてカルボキシメチルセルロース（ＣＭＣ）を含む水溶性バインダー等を添加した水解紙を用いることが知られている（例えば、特許文献１参照）。
【先行技術文献】
【特許文献】
【０００３】
【特許文献１】特許第３８６５５０６号公報
【発明の概要】
【発明が解決しようとする課題】
【０００４】
ところで、洗浄剤等が配合された薬液を含浸させた水解性シートとして、より高い除菌効果を奏する水解性シートが望まれている。
【０００５】
本発明は、上記課題に鑑みてなされたもので、除菌効果を向上させた水解性シートを提供することを目的とする。
【課題を解決するための手段】
【０００６】
上記課題を解決するため、
請求項１に記載の発明は、水溶性バインダーが添加された原紙シートに対して薬液を含浸させた水解性シートであって、
前記原紙シートは、
複数枚の原紙が積層されたものであり、かつ目付が３０〜１５０ｇｓｍであり、
広葉樹パルプに対する針葉樹パルプの配合比を１／１未満とし、
当該原紙シートの厚み方向内側から表面及び裏面に向かうにつれて前記水溶性バインダーの含有量を徐々に増加させた状態とし、
前記薬液には、前記水溶性バインダーに架橋反応を起こさせる架橋剤、及び除菌剤を含み、
前記原紙シートの重量に対して１５０〜３００重量％の前記薬液を含浸させていることを特徴とする。
【０００７】
請求項２に記載の発明は、請求項１に記載の水解性シートであって、
前記除菌剤には、塩化ベンザルコニウム、グルコン酸クロルヘキシジン、ポピドンヨード、エタノール、セチル酸化ベンザニウム、トリクロサン、クロルキシレノール、イソプロピルメチルフェノールのうち少なくとも何れか一の薬品を含むことを特徴とする。
【０００８】
請求項３に記載の発明は、請求項１又は２に記載の水解性シートであって、
凸部を全面に形成したことを特徴とする。
【０００９】
請求項４に記載の発明は、請求項３に記載の水解性シートであって、
前記凸部は、
第１の凸部と、
前記第１の凸部の周囲に配置され前記第１の凸部と膨出部の形状が異なる第２の凸部と、を有することを特徴とする。
【００１０】
請求項５に記載の発明は、請求項４に記載の水解性シートであって、
前記第１の凸部が菱形格子に配列されたことを特徴とする。
【００１１】
請求項６に記載の発明は、請求項４又は５に記載の水解性シートであって、
前記第２の凸部が２つの前記第１の凸部の間に配列されたことを特徴とする。
【００１２】
請求項７に記載の発明は、請求項４から６のいずれか一項に記載の水解性シートであって、
前記第１の凸部と前記第２の凸部が接して連なった凸部となっていることを特徴とする。
【発明の効果】
【００１３】
本発明によれば、除菌効果を向上させた水解性シートを提供することができる。
【図面の簡単な説明】
【００１４】
【図１】本実施形態に係るトイレクリーナーの一例を示す平面図である。
【図２】トイレクリーナーのエンボス部分の拡大図及び断面図である。
【図３】エンボスの接触面積の一例を示す説明図である。
【図４】本実施形態に係るトイレクリーナーの製造方法を示すフローチャートである。
【図５】本実施形態に係るトイレクリーナーの製造設備（溶液付与設備）の一例を示す模式図である。
【図６】本実施形態に係るトイレクリーナーの製造設備（加工設備）の一例を示す模式図である。
【図７】本実施形態に係るトイレクリーナーの他の一例を示す平面図である。
【図８】本実施形態に係るトイレクリーナーの他の一例を示す平面図である。
【図９】図８のＡの部分拡大図である。
【図１０】（ａ）は、図９のＢ−Ｂ端面図、（ｂ）は、図９のＣ−Ｃ端面図である。
【発明を実施するための形態】
【００１５】
以下、図面を参照しつつ、本発明の実施形態である水解性シートを詳細に説明する。但し、発明の範囲は、図示例に限定されない。
【００１６】
なお、本発明である水解性シートにおいて、水解性シートはトイレクリーナー１００を一例にして説明するが、本発明の水解性シートにはトイレクリーナー以外の清拭用途の薬液を含浸させたウェットティシューなども含まれる。また、トイレクリーナー１００の製造時の紙の搬送方向をＹ方向（縦方向）、搬送方向に直交する方向をＸ方向（横方向）として説明する。
【００１７】
［トイレクリーナー１００の構成］
まず、トイレクリーナー１００の構成について説明する。
トイレクリーナー１００は、複数枚（例えば、２枚）の原紙がプライ加工（積層）されたものであって、所定の薬液が含浸されている。また、トイレクリーナー１００のシート全面には、図１に示す通り、２種類のエンボスＥＭ１１及びＥＭ１２がエンボス加工により施されている。なお、２種類のエンボスＥＭ１１及びＥＭ１２により生じる清掃対象物等との接触面積は、１００ｍｍ２当り、１５ｍｍ２〜３０ｍｍ２程度であることが好ましい。
【００１８】
例えば、エンボスＥＭ１１は菱形格子となるように配置されることにより、エンボスＥＭ１１が正方格子や矩形格子に配置される場合と比較して拭きムラを軽減することができる。また、エンボスＥＭ１２は、エンボスＥＭ１１の間に配置されている。
【００１９】
また、トイレクリーナー１００は、折り加工されることにより、長手方向（Ｙ方向）の中央部で２つ折りに折り畳まれる。そして、折り畳まれた状態で保管用のプラスチックケースや包装フィルム内等に保管され、使用時には必要に応じて広げて使用される。なお、トイレクリーナー１００の折り畳み方は、２つ折りに限ることはなく、例えば、４つ折りにしても良く８つ折りにしても良い。
【００２０】
また、本実施形態のトイレクリーナー１００は、トイレを掃除した後、そのまま便器の水溜りに廃棄できるように、水解性の繊維集合体から構成されている。
【００２１】
繊維集合体としては、広葉樹晒クラフトパルプ（ＬＢＫＰ）と針葉樹晒クラフトパルプ（ＮＢＫＰ）と、を混合した繊維を使用する。好適な原料繊維としては、当該原料繊維の成分のうち広葉樹晒クラフトパルプの配合割合が５０重量％を超えるもの、すなわち広葉樹晒クラフトパルプに対する針葉樹晒クラフトパルプの配合比が１／１未満となるものがあげられる。針葉樹晒クラフトパルプに比べて広葉樹晒クラフトパルプの配合比を増加させることにより、繊維間の隙間を減少させ、薬液中の水分の蒸散を抑制することができ、繊維集合体内部に薬液をより保持しやすく、拭き取り時にトイレクリーナー１００を押させる動作によってより多くの薬液が拭き取り対象物に移りやすい。また、トイレクリーナー１００の基材である原紙シートの強度を向上させるために、当該原紙シートには紙力増強剤としてカルボキシメチルセルロース（ＣＭＣ）が塗布されている。より具体的には、当該原紙シートの厚み方向内側から表面及び裏面に向かうにつれてＣＭＣの含有量が増加するように塗布されている。
【００２２】
また、本実施形態のトイレクリーナー１００には、所定の薬液が含浸されており、具体的には、水性洗浄剤の他、香料、防腐剤、除菌剤、紙力増強剤、有機溶剤等の補助剤を含む所定の薬液が含浸されている。当該薬液は、トイレクリーナー１００の基材である原紙シートの重量に対して１５０〜３００重量％含浸させることが望ましい。
【００２３】
薬液としては、適宜のものを使用することができ、例えば、水性洗浄剤としては、界面活性剤の他、低級又は高級（脂肪族）アルコールを使用することができる。香料としては、水性香料の他、オレンジオイル等の油性香料の中から、一種又は数種を適宜選択して使用することができる。防腐剤としては、例えば、メチルパラベン、エチルパラベン、プロピルパラベン等のパラベン類を使用することができる。除菌剤としては、例えば、塩化ベンザルコニウム、グルコン酸クロルヘキシジン、ポピドンヨード、エタノール、セチル酸化ベンザニウム、トリクロサン、クロルキシレノール、イソプロピルメチルフェノール等を使用することができる。紙力増強剤（架橋剤）としては、ホウ酸、種々の金属イオン等を使用することができる。有機溶剤としては、グリコール（２価）、グリセリン（３価）、ソルビトール（４価）等の多価アルコールを使用することができる。
【００２４】
また、上述した薬液の成分の補助剤については適宜選択可能であり、必要に応じて他の機能を果たす成分を薬液に含ませてもよい。
【００２５】
エンボスＥＭ１１は、図２（ａ）に示すように、膨出部ＰＲ２１が曲面の形状を有している。
【００２６】
また、エンボスＥＭ１２は、図２（ｂ）に示すように、膨出部ＰＲ２２が平面の形状を有している。
【００２７】
そして、エンボスＥＭ１２は、エンボスＥＭ１１の間に配置されているので、エンボスＥＭ１１の膨出部ＰＲ２１及びＥＭ１２の膨出部ＰＲ２２は近接して密着することにより、図２（ｃ）に示すように連なったエンボスＥＭ２１として形成されることになる。
また、エンボスＥＭ１１の膨出部ＰＲ２１とエンボスＥＭ１２の膨出部ＰＲ２２が近接するだけであって、連なっていない場合であってもよい。
【００２８】
このように形成された２種類のエンボスＥＭ１１及びＥＭ１２により、清掃対象物等との接触面積を増やすことができるので、トイレクリーナー１００の硬さが緩和されて、拭き取り性能が高くなる。
【００２９】
すなわち、トイレクリーナー１００のシート全面に、膨出部ＰＲ２１が曲面であるエンボスＥＭ１１と、膨出部ＰＲ２２が平面であるエンボスＥＭ１２を組み合わせて形成することにより、拭取り作業時にトイレクリーナー１００に力が加わった時点で各エンボスが変形して、初めて接触面積が増加することになるので、接触面積を増加させると共に、各エンボスの変形に起因して、しなやかさも向上することになる。
【００３０】
例えば、図３（ａ）に示すように、単一のエンボスＥＭ１１の場合には、拭取り作業時にトイレクリーナー１００に加わる力によりエンボスＥＭ１１が変形して生じる接触面積ＣＮ３１は、エンボスＥＭ１１近傍に離散的に生じる。これに対して、２種類のエンボスＥＭ１１及びＥＭ１２を組み合わせた場合には、図３（ｂ）に示すように、拭取り作業時にトイレクリーナー１００に加わる力によりエンボスＥＭ１１及びＥＭ１２が変形して生じる接触面積ＣＮ３２は、図３（ａ）の接触面積ＣＮ３１と比較して、増加することが分かる。
【００３１】
また、２種類のエンボスＥＭ１１及びＥＭ１２は、通常のエンボスの効果を同様に得ることができ、トイレクリーナーの風合い、吸収性及び嵩高性等を向上させることができる。さらに、連なったエンボスＥＭ２１は、通常のエンボスと同様に、エンボスを施すことによる見栄えの良さの効果も得ることができる。
【００３２】
［トイレクリーナー１００の製造方法］
次に、トイレクリーナー１００の製造方法について説明する。
図４は、トイレクリーナー１００の製造方法を示すフローチャートである。図５は、トイレクリーナー１００の原紙シートに対して水溶性バインダーを含むバインダー溶液を付与する溶液付与設備の模式図である。図６は、図５に示す溶液付与設備でバインダー溶液が付与された原紙シートを加工する加工設備の模式図である。
【００３３】
トイレクリーナー１００の製造方法では、図４に示すように、先ず、抄紙機（図示省略）で原紙となる紙を抄造する抄紙工程（Ｓ１）を行う。
【００３４】
次いで、図４及び図５に示すように、溶液付与設備において、抄造された原紙を巻取った複数（例えば、２本）の１次原反ロール１，１からそれぞれ繰り出される連続乾燥原紙１Ａ，１Ａをプライ加工しプライ連続シート１Ｂとするプライ加工工程（Ｓ２）と、プライ連続シート１Ｂに対してバインダー溶液を付与し連続シート１Ｃとする溶液付与工程（Ｓ３）と、連続シート１Ｃを乾燥させる乾燥工程（Ｓ４）と、乾燥させた連続水解性シート１Ｄをスリットし巻取るスリット・巻き取り工程（Ｓ５）とを行う。なお、１次原反ロールは２本以上であれば適宜本数を変更可能であるが、以下の説明においては、２本使用する場合の例について説明する。
【００３５】
次いで、図４及び図６に示すように、加工設備において、上記スリット・巻き取り工程（Ｓ５）で巻取った２次原反ロール１１から繰り出される連続水解性シート１Ｄに対してエンボス加工を施すエンボス加工工程（Ｓ６）と、エンボス加工が施されたエンボス済シート１Ｅに対して仕上げ加工を施す仕上げ加工工程（Ｓ７）とを行う。なお、各工程の詳細については、後述する。
【００３６】
〔抄紙工程〕
本発明にかかる抄紙工程について説明する。本発明の抄紙工程では、例えば、公知の湿式抄紙技術により抄紙原料を抄紙して原紙シートを形成する。すなわち、抄紙原料を湿紙の状態とした後に、ドライヤーなどによりこれを乾燥して、薄葉紙、クレープ紙などの原紙シートを形成する。
原紙シートの原料としては、例えば、既知のバージンパルプ、古紙パルプなどを利用でき、少なくともパルプ繊維を含むものである。この原料となるパルプは、特にＬＢＫＰとＮＢＫＰを適宜の割合で配合したものが適する。なお、パルプ繊維以外の繊維として、レーヨン繊維や合成繊維などが含有されていてもよい。
また、本発明の原紙シートには、凝集剤として、アニオン性アクリルアミド系重合体（以下、「アニオン性ＰＡＭ」する。）が含有される。アニオン性ＰＡＭとは、アクリルアミド系単量体とアニオン性単量体とを共重合して得られる重合体である。 
アクリルアミド系単量体としては、アクリルアミド単独や、アクリルアミドと以下のようなアクリルアミドと共重合可能なノニオン性単量体等と、の混合物である。アクリルアミドと共重合可能なノニオン性単量体としては、メタクリルアミド、Ｎ、Ｎ−ジメチルアクリルアミド、Ｎ、Ｎ−ジエチルアクリルアミド、Ｎ−イソプロピルアクリルアミド、Ｎ−イソプロピルクリルアミド、Ｎ−ヒドロキシエチルアクリルアミド、ダイアセトンアクリルアミド、アクリロイルモルホリン、Ｎ−アクリロイルピロリジン、Ｎ−アクリロイルピペリジン、Ｎ−ビニルロリドン、Ｎ−ビニルホルムアミド、Ｎ−ビニルアセトアミドが例示される。これらは単独で用いても、２種以上を併用しても良い。 
アニオン性単量体としては、アクリル酸、メタクリル酸、アクリルアミド−２−メチルプロパンスルホン酸、イタコン酸、マレイン酸、フマル酸、及びこれらの中和塩が例示される。
なお、アニオン性ＰＡＭの水溶性を損ねない程度であれば、スチレン、アクリルニトリル、（メタ）アクリル酸エステル等の単量体を配合してもよい。 
アニオン性ＰＡＭの添加量としては、好適には、１０〜１０００ｐｐｍ程度である。このような、パルプと同電荷のアニオン系の凝集剤を用いて抄紙することで、原紙シートの凝集を低下させることができ、毛細管現象により水解性を向上させることができる。
なお、原紙シートには、上述したパルプ及び凝集剤の他、湿潤紙力剤、接着剤、剥離剤等の抄紙用薬品を適宜用いてもよい。
【００３７】
〔連続乾燥原紙〕
連続乾燥原紙１Ａの物性としては、好適には、目付けが１５〜７５ｇｓｍ程度である。また、プライ加工された水溶性バインダーを含むシート（連続水解性シート１Ｄ）の目付けは、３０〜１５０ｇｓｍ程度である。なお、目付けは、ＪＩＳ Ｐ ８１２４に基づくものである。
連続乾燥原紙１Ａは、後述するプライ加工工程（Ｓ２）、溶液付与工程（Ｓ３）、乾燥工程（Ｓ４）、スリット・巻き取り工程（Ｓ５）を経て、プライ加工された水解紙となり、更に、後述するエンボス加工工程（Ｓ６）、仕上げ加工工程（Ｓ７）を経て、トイレクリーナー１００に加工される。
【００３８】
〔プライ加工工程〕
次いで、本実施形態のプライ加工工程（Ｓ２）について説明する。プライ加工工程（Ｓ２）では、図５に示すように、原反ロール１から連続的に繰り出される各連続乾燥原紙１Ａ，１Ａを、その連続方向に沿ってプライ加工しプライ連続シート１Ｂとする重ね合わせ部２に供給される。重ね合わせ部２は、一対のロールで構成され、各連続原紙１Ａ，１Ａをプライ加工し、プライ加工されたプライ連続シート１Ｂを形成する。なお、連続乾燥原紙１Ａ，１Ａ同士を重ね合わせる際に、連続乾燥原紙１Ａ，１Ａ同士がずれにくくなるように、ピンエンボス（コンタクトエンボス）で軽く留めておいてもよい。
【００３９】
〔バインダー溶液〕
次いで、バインダー溶液について説明する。バインダー溶液は、水溶性バインダーとしてのカルボキシルメチルセルロース（ＣＭＣ）を含むものである。バインダー溶液中におけるカルボキシルメチルセルロースの濃度としては、１〜３０重量％、好ましくは、１重量％以上、４重量％未満とする。
【００４０】
他方、ＣＭＣについては、そのエーテル化度が０．６〜２．０、特に０．９〜１．８、更に好ましくは１．０〜１．５であるのが望ましい。水解性と湿潤紙力の発現が極めて良好となる。
【００４１】
また、ＣＭＣは、水膨潤性のものを用いることができる。これは、薬液中の特定金属イオンの架橋により、未膨潤化のままシートを構成する繊維をつなぎとめる機能を発揮し、清掃・清拭作業に耐えうる拭き取りシートとしての強度を発現することができる。
【００４２】
バインダー溶液中のカルボキシルメチルセルロース以外の成分としては、ポリビニルアルコール、デンプンまたはその誘導体、ヒドロキシプロピルセルロース、アルギン酸ナトリウム、トラントガム、グアーガム、キサンタンガム、アラビアゴム、カラギーナン、ガラクトマンナン、ゼラチン、カゼイン、アルブミン、プルプラン、ポリエチレンオキシド、ビスコース、ポリビニルエチルエーテル、ポリアクリル酸ソーダ、ポリメタアクリル酸ソーダ、ポリアクリルアミド、ポリアクリル酸のヒドロキシル化誘導体、ポリビニルピロリドン／ビニルピロリドン酢酸ビニル共重合体等のバインダー成分が挙げられる。
【００４３】
水解性が良好となる点や架橋反応により湿潤強度を発現しうる点からカルボキシル基を有する水溶性バインダーを用いることが好ましい。
カルボキシル基を有する水溶性バインダーは、水中で容易にカルボキシラートを生成するアニオン性の水溶性バインダーである。その例としては多糖誘導体、合成高分子、天然物が挙げられる。多糖誘導体としてはカルボキシメチルセルロースの塩、カルボキシエチルセルロース又はその塩、カルボキシメチル化デンブン又はその塩などが挙げられ、特にカルボキシメチルセルロースのアルカリ金属塩が好ましい。
【００４４】
合成高分子としては、不飽和カルボン酸の重合体又は共重合体の塩、不飽和カルボン酸と該不飽和カルボン酸と共重合可能な単量体との共重合体の塩などが挙げられる。不飽和カルボン酸としては、アクリル酸、メタクリル酸、イタコン酸、クロトン酸、無水マレイン酸、マレイン酸、フマール酸などが挙げられる。これらと共重合可能な単量体としては、これら不飽和カルボン酸のエステル、酢酸ビニル、エチレン、アクリルアミド、ビニルエーテルなどが挙げられる。特に好ましい合成高分子は、不飽和カルボン酸としてアクリル酸やメタクリル酸を用いたものであり、具体的にはポリアクリル酸、ポリメタクリル酸、アクリル酸メタクリル酸共重合体の塩、アクリル酸又はメタクリル酸とアクリル酸アルキル又はメタクリル酸アルキルとの共重合体の塩が挙げられる。天然物としては、アルギン酸ナトリウム、ザンサンガム、ジェランガム、タラガントガム、ペクチンなどが挙げられる。
【００４５】
〔溶液付与工程〕
次いで、本実施形態の溶液付与工程（Ｓ３）ついて説明する。溶液付与工程（Ｓ３）では、図５に示すように、プライ連続シート１Ｂの両方の外面（連続乾燥原紙１Ａ，１Ａをプライ加工した時に連続乾燥原紙１Ａ，１Ａ同士が対向しない面）に２流体方式の各スプレーノズル３，３により上述のバインダー溶液を噴霧する。これにより、バインダー溶液に含まれる水溶性バインダーをプライ連続シート１Ｂに添加することができる。
なお、バインダー溶液の噴霧方法としては、例えば、上述の１次原反ロール１，１からそれぞれ繰り出される連続乾燥原紙１Ａ，１Ａの各シートの外面（各シートが対向しない面）に対して、２流体方式の各スプレーノズルより上述のバインダー溶液を噴霧し、直後に当該連続乾燥原紙１Ａ，１Ａをプライ加工することにより、上述の連続シート１Ｃと同等のシートを生成するようにしてもよい。
【００４６】
２流体方式のスプレーノズル３は、２系統に分けられた圧縮空気と液体を混合し、噴射させる方式のスプレーノズルであり、圧縮した液体を単独で噴射させる１流体方式のスプレーノズルに比べて、液体をきめ細かく均一に噴霧することができる。
本実施形態で２流体方式のスプレーノズルを使用する場合、プライ加工されたプライ連続シート１Ｂの各々の外面に高い圧力（噴射圧１．５ＭＰａ以上）でバインダー溶液（粘度４００〜１２００ＭＰａ．ｓ）を塗布するので、シートの厚さ方向にバインダー溶液を含浸させやすい。
一方、本実施形態で１流体方式のスプレーノズルを使用する場合、プライ加工されたプライ連続シート１Ｂの各々の外面に噴射圧１．５ＭＰａ以下でバインダー溶液（粘度４００〜１２００ＭＰａ．ｓ）を塗布することで、シートの厚さ方向にバインダー溶液を含浸させやすく、シート表面にバインダー溶液を均一に塗布させやすくしている。
【００４７】
〔乾燥工程〕
次いで、本実施形態の乾燥工程（Ｓ４）について説明する。乾燥工程（Ｓ４）では、図５に示すように、乾燥設備４において、上述の連続シート１Ｃのバインダー溶液中の不溶な液分を蒸発させて、有効成分、特にＣＭＣを繊維に対して定着させる。
ここで、連続シート１Ｃの外面（表面及び裏面）から厚み方向内側に向かうにつれて、バインダー溶液の浸み込む量が減少していくことから、当該厚み方向内側に向かうにつれて、ＣＭＣの定着量が減少することとなる。そのため、後述する仕上げ加工工程（Ｓ７）で薬液が含浸された際、当該厚み方向内側に向かうにつれて、架橋反応が起こり難く、空隙を多く有することから、シート内部に当該薬液を閉じ込めた状態とすることができる。これにより、得られるトイレクリーナー１００を乾き難くすることができる。また、連続シート１Ｃの外面付近でＣＭＣの架橋反応が多く生じることとなるので、得られるトイレクリーナー１００の表面強度を強固なものとすることができる。
乾燥設備４としては、連続シート１Ｃに対して熱風を吹き付けて乾燥させるフード付きドライヤー設備が利用できる。なお、シート同士をより密着させるために、プレスロールやターンロールを設置し、乾燥工程（Ｓ４）の前に当該プレスロールや当該ターンロールに連続シート１Ｃを通しても良い。
【００４８】
また、上記乾燥設備として赤外線照射による設備を用いても良い。この場合、上記連続シート１Ｃの搬送方向に複数の赤外線照射部を並列し、搬送される当該連続シート１Ｃに対して赤外線を照射して乾燥を行なう。赤外線により水分が蒸発し乾燥されるものであるため、熱風によるドライヤーと比較して、均一な乾燥が可能であり、後段のスリット・巻き取り工程においての皺の発生が防止できる。
【００４９】
〔スリット・巻き取り工程〕
次いで、本実施形態のスリット・巻き取り工程（Ｓ５）について説明する。スリット・巻取り工程（Ｓ５）では、プライ加工された連続水解性シート１Ｄをオフラインの加工機で加工する際の原反とするために、上述の乾燥工程（Ｓ４）で乾燥されＣＭＣの定着が図られた連続水解性シート１Ｄをテンションを調整しながら、スリッター５で所定の幅にスリットし、ワインダー設備６において、巻き取ることとなる。巻き取り速度は、プライ加工工程（Ｓ２）、溶液付与工程（Ｓ３）、乾燥工程（Ｓ４）を考慮して適宜定める。過度に早いとシートの破断が生じ、過度に遅いと皺が発生するのでこれに留意する。
スリット・巻き取り工程（Ｓ５）で、プライ加工された連続水解性シート１Ｄが圧着されることにより、連続水解性シート１Ｄがより一体化され、１枚相当のシートとなる。
【００５０】
〔エンボス加工工程〕
次いで、本実施形態のエンボス加工工程（Ｓ６）について説明する。エンボス加工工程（Ｓ６）では、図６に示すように、２次原反ロール１１から繰り出される、連続水解性シート１Ｄに対して、エンボスロール１２によって、シート全面に所定の形状をなすエンボス加工が施される。このエンボス加工は、シートの強度、嵩高性、拭き取り性等を高めるとともに、デザイン性を高めることを目的としてなされている。
【００５１】
〔仕上げ加工工程〕
次いで、本実施形態の仕上げ加工工程（Ｓ７）について説明する。仕上げ加工工程（Ｓ７）では、図６に示すように、仕上げ加工設備１３において、エンボス済シート１Ｅの裁断加工、裁断された各シートの折り加工、折り加工がなされた各シートへの上記薬液の含浸、当該薬液を含浸させた各シートの包装を一連の流れで行う。ここで、薬液に含有される架橋剤は、ＣＭＣを水溶性バインダーとして用いた場合、多価金属イオンを用いることが好ましい。特に、アルカリ土類金属、マンガン、亜鉛、コバルト及びニッケルからなる群から選択される１種又は２種以上の多価金属イオンを用いることが、繊維間が十分に結合されて使用に耐え得る湿潤強度が発現する点、及び水解性が十分になる点から好ましい。これらの金属イオンのうち、カルシウム、ストロンチウム、バリウム、亜鉛、コバルト、ニッケルのイオンを用いることが特に好ましい。
以上の、各工程を経ることにより、トイレクリーナー１００が製造される。
【実施例】
【００５２】
次に、本実施形態の水解性シート（トイレクリーナー）の除菌効果について評価した結果を表１を用いて説明する。
【００５３】
＜実施条件＞
実施例１、２では、上述のトイレクリーナー１００の製造方法により製造されたトイレクリーナー１００を用い、下記の評価方法に基づき除菌効果の評価を行った。
原紙シートの目付（実施例１、２）：９０ｇｓｍ（４５ｇｓｍ×２）
薬液含浸率（実施例１、２）：原紙シートの重量に対して２００重量％
薬液（実施例１）の成分：プロピレングリコール３％、プロピレングリコールモノメチルエーテル１３％、塩化ベンザルコニウム０．２％、硫酸亜鉛１％、界面活性剤・香料・防腐剤など０．７％、水８２．１％
薬液（実施例２）の成分：プロピレングリコール５％、プロピレングリコールモノメチルエーテル１０％、塩化ベンザルコニウム０．２％、硫酸亜鉛１％、界面活性剤・香料・防腐剤など０．７％、水８３．１％
エンボスパターン（実施例１、２）：段落００６８、及び図８〜１０に示すパターン
【００５４】
一方、比較例では、抄紙段階でＣＭＣを添加することにより、抄造された原紙の厚み方向に対してＣＭＣが均一となるように当該ＣＭＣを添加した原紙を上述のプライ加工工程にて２プライ加工し、次いで、上述の実施例と同様に、乾燥工程、スリット・巻き取り工程、エンボス加工工程、仕上げ加工工程を経て製造されたトイレクリーナーを用い、下記の評価方法に基づき除菌効果の評価を行った。
原紙シートの目付（比較例）：９０ｇｓｍ（４５ｇｓｍ×２）
薬液含浸率（比較例）：原紙シートの重量に対して２００重量％
薬液（比較例）の成分：プロピレングリコール５％、プロピレングリコールモノメチルエーテル１０％、塩化ベンザルコニウム０．２％、硫酸亜鉛１％、界面活性剤・香料・防腐剤など０．７％、水８３．１％
エンボスパターン（比較例）：段落００６８、及び図８〜１０に示すパターン
【００５５】
＜評価方法＞
ウェットワイパー類の除菌性能試験方法（平成２５年４月１日制定  監修：高麗寛紀  徳島大学名誉教授）に従い、上述の実施例１、２、及び比較例の各トイレクリーナーの除菌効果の評価を行った。
なお、大腸菌及び黄色ブドウ球菌の除菌率がいずれも９９．９９％以上（除菌活性値が４以上）の場合は総合判定を「◎」、当該除菌率がいずれも９９．９％以上（除菌活性値が３以上）の場合は総合判定を「○」、当該除菌率がいずれも９９％以上（除菌活性値が２以上）の場合は総合判定を「△」、当該除菌率がいずれも９９％未満（除菌活性値が２未満）の場合は総合判定を「×」とした。
【００５６】
【表１】
0005959695.tif 000002
【００５７】
表１に示す結果のとおり、比較例の除菌効果の総合判定が「△」であるのに対し、実施例１の除菌効果の総合判定が「○」、実施例２の除菌効果の総合判定が「◎」であり、比較例に対し、実施例１、２の除菌効果が向上することを確認した。
【００５８】
以上のように、本実施形態によれば、トイレクリーナー１００の基材である原紙シートの厚み方向内側から表面及び裏面に向かうにつれてＣＭＣの含有量を増加させた状態とすることで、薬液を当該原紙シートに含浸させた際に、当該原紙シートの内部に多量の薬液を閉じ込めた状態とすることができる。
したがって、拭取り作業時にトイレクリーナー１００に圧を加えることによって、除菌剤を含んだ薬液が対象物に対して多量に放出されるので、当該対象物に付着している菌を好適に死滅させ除去することができることとなり、当該対象物の除菌効果を向上させることができる。
【００５９】
以上、本発明を実施形態に基づいて具体的に説明してきたが、本発明は上記実施形態に限定されるものではなく、その要旨を逸脱しない範囲で変更可能である。
本発明の実施形態等の説明に際しては、膨出部ＰＲ２１が曲面の形状を有しているエンボスＥＭ１１と、膨出部ＰＲ２２が平面の形状を有しているエンボスＥＭ１２を例示しているが、必ずしもこの形状に限定されるものではなく、例えば、エンボスＥＭ１１及びエンボスＥＭ１２の膨出部が高さの異なる平面の形状であってもよい。また、例えば、エンボスＥＭ１１の膨出部が平面の形状であり、エンボスＥＭ１２の膨出部が曲面の形状であってもよい。
【００６０】
言い換えれば、膨出部の形状が同一形状ではない２種類のエンボス（第１のエンボス及び第２のエンボス）であって、第１のエンボスの周囲に、第２のエンボスが配置されるものであれば、各エンボスの膨出部の形状はどのようなものであってもよい。
【００６１】
また、本発明の実施形態等の説明に際しては、膨出部が平面のエンボスＥＭ１２は、膨出部が曲面のエンボスＥＭ１１の間に配置されているが、エンボスＥＭ１１が互いに交差するものであってもよい。
【００６２】
また、本発明の実施形態等の説明に際しては、すべてのエンボスＥＭ１１及びＥＭ１２が、図１の図面手前方向に凸になっているが、図面手前方向に凸なエンボスＥＭ１１及びＥＭ１２と、図面手前方向に凹なエンボスＥＭ１１及びＥＭ１２を交互に配置するものであってもよい。
【００６３】
例えば、図７に示すように、図７の図面手前方向に凸なエンボスＥＭ１１及びＥＭ１２（実線部分）と、図７の図面手前方向に凹なエンボスＥＭ１１及びＥＭ１２（破線部分）を交互に配置することにより、エンボス加工により家庭用薄葉紙の表面強度を高めると共に、トイレクリーナー１００両面のどちらでも拭き取り性能の高い家庭用薄葉紙を提供することができる。
【００６４】
また、本発明の実施形態等の説明に際しては、エンボスＥＭ１１の膨出部ＰＲ２１及びＥＭ１２の膨出部ＰＲ２２は近接して密着することにより、連なったエンボスＥＭ２１として形成されているが、エンボスＥＭ１１の膨出部ＰＲ２１及びＥＭ１２の膨出部ＰＲ２２は近接するだけで密着しないものであってもよい。
【００６５】
また、本発明の実施形態の説明に際しては、エンボスＥＭ１１の形状として、円形若しくは楕円形の形状を例示しているが、エンボスの形状は方形、多角形等の任意の形状でよい。
【００６６】
また、図２におけるエンボスＥＭ１１及びＥＭ１２の膨出部の高さＨＴ２１及びＨＴ２２は、例えば、０．４０ｍｍ〜０．７５ｍｍであることが好ましい。なお、例えば、キーエンス製デジタルマイクロスコープで表面を３Ｄ測定し、エンボスＥＭ１１及びＥＭ１２の膨出部の高さＨＴ２１及びＨＴ２２を測定する。
【００６７】
例えば、高さが０．４０ｍｍ未満であると、拭き取り時の摩擦が強くなって、拭き取りがしにくく、また、高さが０．７５ｍｍを超えると、包装時にエンボスＥＭ１１及びＥＭ１２の形状がくずれやすくなって、見栄えが悪くなる。
【００６８】
また、エンボスパターンは、上述のパターンに限らず、図８〜１０に示すようなエンボスパターンであってもよい。図８〜１０に示すように、凹部ｅ２は、凸部ｅ１を反転した形状である。凸部ｅ１と凹部ｅ２は、交互に一例に配置され、この列が多列に、かつ隣り合う列における凸部ｅ１と凹部ｅ２が互いに半ピッチずれるように配列されたエンボスパターンを形成している。このように、凸部ｅ１及び凹部ｅ２が縦方向においても横方向においても交互に形成されていることで、凸部同士や凹部同士が一列に並んでいるエンボスパターンよりも汚れの拭き取り性を向上させることができる。なお、凸部ｅ１と凹部ｅ２の形状は、特に限定されず、円形、楕円形、多角形等が用いられる。各形状を組み合わせたものとしてもよい。
【符号の説明】
【００６９】
１００    トイレクリーナー
１        １次原反ロール
１Ａ      連続乾燥原紙
１Ｂ      プライ連続シート
１Ｃ      連続シート
１Ｄ      連続水解性シート
１Ｅ      エンボス済シート
２        重ね合わせ部
３        スプレーノズル
４        第１乾燥設備
５        スリッター
６        ワインダー設備
１１      ２次原反ロール
１２      エンボスロール
１３      仕上げ加工設備
ＥＭ１１  エンボス
ＥＭ１２  エンボス
ＥＭ１３  エンボス
ＰＲ２１  膨出部
ＰＲ２２  膨出部
【要約】
【課題】除菌効果を向上させた水解性シートを提供する。
【解決手段】水溶性バインダーが添加された原紙シートに対して薬液を含浸させた水解性シートであって、前記原紙シートは、複数枚の原紙をプライ加工したものであり、かつ目付が３０〜１５０ｇｓｍであり、広葉樹パルプに対する針葉樹パルプの配合比を１／１未満とし、当該原紙シートの厚み方向内側から表面及び裏面に向かうにつれて前記水溶性バインダーの含有量を増加させた状態とし、前記薬液には、前記水溶性バインダーに架橋反応を起こさせる架橋剤、及び除菌剤を含み、前記原紙シートの重量に対して１５０〜３００重量％の前記薬液を含浸させた状態とする。
【選択図】図１【図１】
0005959695.tif 000003
【図２】
0005959695.tif 000004
【図３】
0005959695.tif 000005
【図４】
0005959695.tif 000006
【図５】
0005959695.tif 000007
【図６】
0005959695.tif 000008
【図７】
0005959695.tif 000009
【図８】
0005959695.tif 000010
【図９】
0005959695.tif 000011
【図１０】
0005959695.tif 000012